【手続補正書】
【提出日】平成26年11月5日(2014.11.5)
【手続補正１】
【補正対象書類名】明細書
【補正対象項目名】０００４
【補正方法】変更
【補正の内容】
【０００４】
この従来公知の原稿圧着板開閉装置Ｉは、図１３に示したように、装置本体ａ側へその取付ベース３０ａを取り付ける取付部材３０と、この取付部材３０の両側板３０ｂへその両側板３１ｂをヒンジピン３２を介して回転可能に連結した支持部材３１と、この支持部材３１の両側板３１ｂの自由端側へその両側板３４ｂを連結ピン３７を介して、支持部材３１とは異なる方向へ回転可能となるように軸着したところの、原稿圧着板Ｋを取り付けるリフト部材３４と、取付部材３０の両側板３０ｂ間に差し渡して設けた受圧部材４０と、この受圧部材４０にカム部４１ａを当接させて前記支持部材３１内部に摺動可能に収装されたカムスライダー４１と、リフト部材３４の両側板３４ｂ間に設けた作動部材３８と、この作動部材３８に当接させて支持部材３１内部に摺動可能に収装されたスプリング受け部材３９と、支持部材３１内部に収装され、カムスライダー４１とスプリング受け部材３９との間に弾設させることにより、前記リフト部材３４を支持部材３１と重なり合う方向へ回転付勢させつつ、支持部材３１を少なくとも原稿圧着板Ｋの開成方向へ付勢させる弾性手段３３とで構成されており、取付部材の後板３０ｃには一対のストッパー片３５ａを有するストッパープレート３５が取付ネジ３６で取り付けられている。
このように構成することによって、弾性手段３３の弾力により、原稿圧着板Ｋを開閉操作する際に当該原稿圧着板Ｋの本来の重さを感じることなく軽く開閉操作することができ、さらに原稿が本のように厚い厚物原稿の場合には、リフト部材３４が弾性手段３３の弾力に抗して支持部材３１に対して反転することにより、厚物原稿の上面を水平に覆うことができるようになっている。
この従来公知構成の原稿圧着板開閉装置Ｉは、原稿圧着板Ｋを最大角度まで開いたときに、支持部材３１の背板３１ａに設けた当接部３１ｃが、ストッパープレート３５のストッパー片３５ａに設けたストッパー部３５ｂへ当接するように構成されている。その際に当接部３１ｃによるストッパープレート３５に対する押圧方向が、（ａ）に矢印Ｒで示した部分の拡大図（ｂ）に矢印Ｌで示したように、斜め下方方向になることから、ストッパープレート３５に対し、これを取付ネジ３６で取り付けた取付部材３０の後板３０ｃから剥がれる方向へ力が加わることになることから、ストッパープレート３５が変形し易いという欠点があった。
【手続補正２】
【補正対象書類名】明細書
【補正対象項目名】００２３
【補正方法】変更
【補正の内容】
【００２３】
支持部材２は、背板２ａと、この背板２ａの両端部から下方へ折り曲げた両側板２ｂ、２ｂと、この両側板２ｂ、２ｂの下端側から共に内側へ折り曲げて形成した抱持板２ｃ、２ｃから構成されており、両側板２ｂ、２ｂは、上述したように、ヒンジピン３によって取付部材１の両側板１ｂ、１ｂへ回転可能に連結されている。両側板２ｂ、２ｂの自由端側には、連結ピン４を介してリフト部材６が回転可能に軸着されると共に、作動部材９の両端側が入り込むガイド溝２ｄ、２ｄが設けられている。その他、指示記号２ｅ、２ｅはヒンジピン挿通孔、指示記号２ｆ、２ｆのものは連結ピン挿通孔、指示記号２ｇ、２ｇは組立時に用いるストッパー孔である。さらに、背板２ａの後端部に設けた指示記号２ｈ、２ｈのものは、原稿圧着板Ｃを開いたときにストッパープレート８のストッパー片８ｆ、８ｆを逃がす逃がし溝である。
【手続補正３】
【補正対象書類名】明細書
【補正対象項目名】００３６
【補正方法】変更
【補正の内容】
【００３６】
次に、上記実施例１に係る原稿圧着板開閉装置Ｂの動作について説明する。今、図５と図７に示したように、原稿圧着板Ｃを閉じた状態においては、主として当該原稿圧着板Ｃの重量により、弾性手段１２の弾力に抗して原稿圧着板Ｃは閉じられ、安定した閉成状態を保っている。尚、ここのところは、弾性手段１２の作用線を受圧部材５の上方へずらすことにより、原稿圧着板Ｃを閉成方向へ回転付勢させるように構成することもできる。閉成状態において、とくに図７に示したように、受圧部材５のスライドローラ５ｂはその長径部側の摺接部５ｃをカムスライダー１０のカム部１０ａと面接触させており、最も圧縮された状態の弾性手段１２の弾力を面で受けている。
【手続補正４】
【補正対象書類名】明細書
【補正対象項目名】００４８
【補正方法】変更
【補正の内容】
【００４８】
Ａ  複合機
ａ  装置本体
Ｂ、Ｂ’、Ｇ、Ｉ  原稿圧着板開閉装置
Ｃ、Ｋ  原稿圧着板
Ｄ  回転制御手段
Ｅ  フリクション・ストッパー手段
Ｆ  ストッパー手段
１  取付部材
１ａ  取付ベース
１ｂ  両側板
１ｃ  後板
２  支持部材
２ａ  背板
２ｂ  両側板
３  ヒンジピン
４  連結ピン
５  受圧部材
６  リフト部材
６ａ  背板
６ｂ  両側板
８  ストッパープレート
９  作動部材
１０  カムスライダー
１０ａ  カム部
１１  スプリング受け部材
１２  弾性手段
１６  クリック・フリクションプレート
１７  当接シャフト（当接部材）
２０  ストッパープレート
２１  当接シャフト（当接部材）
３０  取付部材
３０ａ  取付ベース
３０ｂ  両側板
３０ｃ  後板
３１  支持部材
３１ａ  背板
３１ｂ  両側板
３２  ヒンジピン
３３  弾性手段
３４  リフト部材
３４ａ  背板
３４ｂ  両側板
３５  ストッパープレート
３７  連結ピン
３８  作動部材
３９  スプリング受け部材
４０  受圧部材
４１  カムスライダー
【手続補正５】
【補正対象書類名】特許請求の範囲
【補正対象項目名】請求項４
【補正方法】変更
【補正の内容】
【請求項４】
前記ストッパー手段を、前記取付部材の後板に設けたストッパープレートとしたことを特徴とする、請求項２に記載の原稿圧着板開閉装置。
【手続補正６】
【補正対象書類名】特許請求の範囲
【補正対象項目名】請求項５
【補正方法】変更
【補正の内容】
【請求項５】
前記フリクション・ストッパー手段を、前記取付部材の後板に設けたストッパープレートと、このストッパープレートに取り付けられたクリック・フリクションプレートとで構成したことを特徴とする、請求項３に記載の原稿圧着板開閉装置。
【手続補正７】
【補正対象書類名】図面
【補正対象項目名】図２
【補正方法】変更
【補正の内容】
【図２】
2013097363.tif 000001
【手続補正８】
【補正対象書類名】図面
【補正対象項目名】図４
【補正方法】変更
【補正の内容】
【図４】
2013097363.tif 000002
【手続補正９】
【補正対象書類名】図面
【補正対象項目名】図５
【補正方法】変更
【補正の内容】
【図５】
2013097363.tif 000003
【手続補正１０】
【補正対象書類名】図面
【補正対象項目名】図７
【補正方法】変更
【補正の内容】
【図７】
2013097363.tif 000004
【手続補正１１】
【補正対象書類名】図面
【補正対象項目名】図１０
【補正方法】変更
【補正の内容】
【図１０】
2013097363.tif 000005
【手続補正１２】
【補正対象書類名】図面
【補正対象項目名】図１１
【補正方法】変更
【補正の内容】
【図１１】
2013097363.tif 000006
【手続補正１３】
【補正対象書類名】図面
【補正対象項目名】図１２
【補正方法】変更
【補正の内容】
【図１２】
2013097363.tif 000007